(57)【要約】      （修正有）【課題】ＨＤＭＩ１．３以前の規格に準拠したＬＳＩでも３Ｄ映像を表示できるように、ＨＤＭＩ１．４規格に準拠した映像信号を変換する信号変換装置及びその方法を提供する。【解決手段】ＨＤＭＩ規格に準拠した映像信号が入力されるＨＤＭＩ信号入力部と、前記ＨＤＭＩ信号入力部に入力された映像信号が３Ｄ映像信号か２Ｄ映像信号かを判別する映像種別判別部と、前記映像種別判別部で３Ｄ映像信号であると判別された場合、入力された映像信号に同期信号を付加する信号変換部と、前記映像種別判別部で２Ｄ映像信号と判別された映像信号または前記信号変換部で変換した映像信号を出力する第一の出力部とを有することを特徴とする信号変換装置を提供する。【選択図】図１
2011250329.tif 000002
【特許請求の範囲】
【請求項１】
ＨＤＭＩ規格に準拠した映像信号が入力されるＨＤＭＩ信号入力部と、
前記ＨＤＭＩ信号入力部に入力された映像信号が３Ｄ映像信号か２Ｄ映像信号かを判別する映像種別判別部と、
前記映像種別判別部で３Ｄ映像信号であると判別された場合、入力された映像信号に同期信号を付加する信号変換部と、
前記映像種別判別部で２Ｄ映像信号と判別された映像信号または前記信号変換部で変換した映像信号を出力する第一の出力部と
を有することを特徴とする信号変換装置。
【請求項２】
ＨＤＭＩ規格に準拠した映像信号が入力されるＨＤＭＩ信号入力部と、
前記ＨＤＭＩ信号入力部に入力された映像信号がＨＤＭＩ１．３規格以前の規格に対応の信号か、ＨＤＭＩ１．４規格に対応の信号かを判別する信号種別判別部と、
前記信号種別判別部でＨＤＭＩ１．４規格に対応した信号であると判別された場合、入力された映像信号が３Ｄ映像信号か２Ｄ映像信号かを判別する映像種別判別部と、
前記映像種別判別部で３Ｄ映像信号であると判別された場合、入力された映像信号に同期信号を付加する信号変換部と、
前記信号種別判別部でＨＤＭＩ１．３規格以前の規格に対応と判別された映像信号と、前記映像種別判別部で２Ｄ映像信号と判別された映像信号と、前記信号変換部で変換した映像信号のうち、何れか一つを出力する第二の出力部と
を有することを特徴とする信号変換装置。
【請求項３】
前記ＨＤＭＩ信号入力部に入力された映像信号または前記出力部から出力された映像信号から、映像情報を取得する制御部と、
取得した映像情報を用い映像を表示する表示部と
を更に有することを特徴とする請求項１あるいは請求項２記載の信号変換装置。
【請求項４】
ＨＤＭＩ規格に準拠した映像信号が入力されるステップと、
入力された映像信号が３Ｄ映像信号か２Ｄ映像信号かを判別するステップと、
３Ｄ映像信号であると判別された場合、入力された映像信号に同期信号を付加して映像信号を変換するステップと、
入力された映像信号または変換された映像信号を出力するステップと
を有することを特徴とする信号変換方法。
【請求項５】
ＨＤＭＩ規格に準拠した映像信号が入力されるステップと、
入力された映像信号がＨＤＭＩ１．３規格以前の規格に対応の信号か、ＨＤＭＩ１．４規格に対応の信号かを判別するステップと、
ＨＤＭＩ１．４規格に対応の信号と判別された場合、入力された映像信号が３Ｄ映像信号か２Ｄ映像信号かを判別するステップと、
３Ｄ映像信号であると判別された場合、入力された映像信号に同期信号を付加して映像信号を変換するステップと、
ＨＤＭＩ１．３規格以前の規格に対応と判断された映像信号と、２Ｄ映像信号と判別された映像信号と、変換された映像信号のうち、何れか一つを出力するステップと
を有することを特徴とする信号変換方法。
【請求項６】
前記映像信号が入力されるステップで入力された映像信号または前記出力するステップで出力された映像信号から映像情報を取得するステップと、
取得した映像情報を用い映像を表示するステップと
を更に有することを特徴とする請求項４あるいは請求項５記載の信号変換方法。
【発明の詳細な説明】
【技術分野】
【０００１】
本発明は、2次元（以下、２Ｄと略す）映像を表示する処理を行うＬＳＩ（Ｌａｒｇｅ  Ｓｃａｌｅ  Ｉｎｔｅｇｒａｔｉｏｎ）を用いて立体（以下、３Ｄと略す）映像を表示するための、信号変換装置及びその方法に関する。
【背景技術】
【０００２】
近年、３Ｄ映像を表示することができるテレビなどの表示装置が発売されているが、通常の２Ｄ映像を表示する表示装置と３Ｄ映像を表示する表示装置は、規格など様々な点で仕様が異なっている。例えば、映像や音声を入出力するための規格に、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）があり、２００９年５月にはＶｅｒｓｉｏｎ１．４（以下、ＨＤＭＩ１．４規格と称す）が発表された。このＨＤＭＩ１．４規格は３Ｄ映像のＨＤＭＩ信号を伝送する方式に対応しており、３Ｄ映像は送信側の装置からＨＤＭＩ１．４規格に準拠した信号形式で送信され、ＨＤＭＩ１．４規格に準拠した表示装置で受信して表示される。一方、Ｖｅｒｓｉｏｎ１．３（ＨＤＭＩ１．３規格）以前の規格に対応した表示装置のＬＳＩでは、ＨＤＭＩ１．４規格に準拠した３Ｄ映像の信号を処理することができない。
【０００３】
また３Ｄ映像の表示原理は、特許文献１に記載の通り、右目で見る映像（右映像）と左目で見る映像（左映像）を夫々表示し、視聴者が各映像の視差を認識することで、映像が３Ｄ表示されているように見せるものである。ＨＤＭＩ１．４規格に準拠した３Ｄ映像の信号は、一つの同期信号間に右映像１フレーム分と左映像１フレーム分の信号が重畳される形式であり、その重畳形式に合わせてメガネの液晶シャッターを制御したり、偏光の性質を利用して右映像と左映像を分離して表示したりすることにより、右映像を右目で、左映像を左目で見るよう表示を制御することで、３Ｄ映像が認識される。
【先行技術文献】
【特許文献】
【０００４】
【特許文献１】特開２００４−０７１１０２号（平成１６年３月４日公開）
【発明の概要】
【発明が解決しようとする課題】
【０００５】
ＨＤＭＩケーブルを介して送信されてきた３Ｄ映像を表示するには、ＨＤＭＩ１．４規格（ＨＤＭＩ１．４規格は、１．４ａ規格、１．４ｂ規格と順次バージョンアップしており、以下ではバージョンアップしたものも含むものとする。）に準拠したＬＳＩを用意する必要があった。しかしながら、新たにＬＳＩを開発するには、開発期間や開発コストがかかるという課題がある。
【０００６】
そこで本発明では、ＨＤＭＩ１．３規格以前の規格に準拠したＬＳＩでも３Ｄ映像を表示できるように、ＨＤＭＩ１．４規格に準拠した映像信号を変換する信号変換装置及びその方法を提供し、開発コストの削減を実現することを目的とする。
【課題を解決するための手段】
【０００７】
本発明にかかる第一の信号変換装置は、ＨＤＭＩ規格に準拠した映像信号が入力されるＨＤＭＩ信号入力部と、前記ＨＤＭＩ信号入力部に入力された映像信号が３Ｄ映像信号か２Ｄ映像信号かを判別する映像種別判別部と、前記映像種別判別部で３Ｄ映像信号であると判別された場合、入力された映像信号に同期信号を付加する信号変換部と、前記映像種別判別部で２Ｄ映像信号と判別された映像信号または前記信号変換部で変換した映像信号を出力する第一の出力部とを有することを特徴とする。
【０００８】
また、本発明にかかる第二の信号変換装置は、ＨＤＭＩ規格に準拠した映像信号が入力されるＨＤＭＩ信号入力部と、前記ＨＤＭＩ信号入力部に入力された映像信号がＨＤＭＩ１．３規格以前の規格に対応の信号か、ＨＤＭＩ１．４規格に対応の信号かを判別する信号種別判別部と、前記信号種別判別部でＨＤＭＩ１．４規格に対応した信号であると判別された場合、入力された映像信号が３Ｄ映像信号か２Ｄ映像信号かを判別する映像種別判別部と、前記映像種別判別部で３Ｄ映像信号であると判別された場合、入力された映像信号に同期信号を付加する信号変換部と、前記信号種別判別部でＨＤＭＩ１．３規格以前の規格に対応と判別された映像信号と、前記映像種別判別部で２Ｄ映像信号と判別された映像信号と、前記信号変換部で変換した映像信号のうち、何れか一つを出力する第二の出力部とを有することを特徴とする。
【０００９】
さらに、本発明にかかる信号変換装置は、前記第一の信号変換装置または前記第二の信号変換装置において、前記ＨＤＭＩ信号入力部に入力された映像信号または前記出力部から出力された映像信号から、映像情報を取得する制御部と、取得した映像情報を用い映像を表示する表示部とを更に有することを特徴とする。
【００１０】
また、本発明にかかる第一の信号変換方法は、ＨＤＭＩ規格に準拠した映像信号が入力されるステップと、入力された映像信号が３Ｄ映像信号か２Ｄ映像信号かを判別するステップと、３Ｄ映像信号であると判別された場合、入力された映像信号に同期信号を付加して映像信号を変換するステップと、入力された映像信号または変換された映像信号を出力するステップとを有することを特徴とする。
【００１１】
また、本発明にかかる第二の信号変換方法は、ＨＤＭＩ規格に準拠した映像信号が入力されるステップと、入力された映像信号がＨＤＭＩ１．３規格以前の規格に対応の信号か、ＨＤＭＩ１．４規格に対応の信号かを判別するステップと、ＨＤＭＩ１．４規格に対応の信号と判別された場合、入力された映像信号が３Ｄ映像信号か２Ｄ映像信号かを判別するステップと、３Ｄ映像信号であると判別された場合、入力された映像信号に同期信号を付加して映像信号を変換するステップと、ＨＤＭＩ１．３規格以前の規格に対応と判断された映像信号と、２Ｄ映像信号と判別された映像信号と、変換された映像信号のうち、何れか一つを出力するステップとを有することを特徴とする。
【００１２】
さらに、本発明にかかる信号変換方法は、前記第一の信号変換方法または前記第二の信号変換方法において、前記映像信号が入力されるステップで入力された映像信号または前記出力するステップで出力された映像信号から映像情報を取得するステップと、取得した映像情報を用い映像を表示するステップとを更に有することを特徴とする。
【発明の効果】
【００１３】
本発明によれば、２Ｄ映像だけの表示に対応しているＨＤＭＩ１．３規格以前の規格に準拠したＬＳＩを用いて、ＨＤＭＩ１．４規格に準拠した３Ｄ映像信号を処理することができる。
【図面の簡単な説明】
【００１４】
【図１】信号変換装置
【図２】信号変換部の処理
【図３】信号変換部の処理の具体例
【図４】信号変換装置
【発明を実施するための形態】
【００１５】
従来のテレビ装置は、チューナーで放送波を受信したり、セットトップボックスからの放送信号をＤ端子に入力したり、ＢＤ／ＤＶＤプレイヤーなどの再生装置からのＨＤＭＩ信号をＨＤＭＩ端子に入力して、受信／入力された映像信号を表示するが、本発明は、３Ｄ映像のＨＤＭＩ信号が入力された場合に、従来のＨＤＭＩ１．３規格以前の規格に準拠するように、入力された映像信号を変換し、従来のテレビ装置において３Ｄ映像を表示可能とするものである。詳しくは、ＨＤＭＩ１．３規格以前の規格に準拠したＬＳＩで映像信号を処理する前に、そのＬＳＩで対応できるようにＨＤＭＩ信号を変換するものである。次に、本発明の実施形態について図を用いて説明する。
【００１６】
〔実施形態１〕
実施形態１では、信号変換装置の第一の形態について、図１を用いて説明する。本実施形態の信号変換装置１０１は、図１で示すように、少なくともＨＤＭＩ信号入力部１０２と、映像種別判別部１０３と、信号変換部１０４と、出力部１０５を有し、ＨＤＭＩ信号入力部１０２には、ＨＤＭＩ１．４規格に準拠した映像信号が入力される。
【００１７】
まず、ＨＤＭＩ信号入力部１０２に、ＨＤＭＩ１．４規格に準拠した映像信号が入力されると、映像種別判別部１０３で、入力された映像信号が３Ｄ映像の信号か、２Ｄ映像の信号かを判別する。入力された映像信号が３Ｄ映像の信号と判別されると、信号変換部１０４で、映像信号に含まれる同期信号間に、さらに同期信号を付加して（以下、これを付加同期信号と称する。詳細は後述する。）信号を変換する。そして、出力部１０５は、信号変換部１０４で変換された映像信号を、表示装置１０６に出力する。また、映像種別判別部１０３で入力された映像信号が２Ｄ映像の信号と判別されると、出力部１０５でＨＤＭＩ信号入力部１０２に入力された映像信号を表示装置１０６に出力する。そして、表示装置１０６では、出力部１０５から出力された映像信号を、ＨＤＭＩ１．３規格に準拠したＬＳＩを用いて表示する。
【００１８】
なお、前記映像種別判別部１０３で行う、入力された映像信号が３Ｄ映像の信号か２Ｄ映像の信号かの判別は、ＨＤＭＩ１．４規格で規定されたＨＤＭＩ  Ｖｅｎｄｏｒ  Ｓｐｅｃｉｆｉｃ  ＩｎｆｏＦｒａｍｅ  Ｐａｃｋｅｔ  Ｃｏｎｔｅｎｔｓ中のＨＤＭＩ＿Ｖｉｄｅｏ＿Ｆｏｒｍａｔを参照することで自動的に判別でき、これが『０１０』であれば、入力された映像信号が３Ｄ映像の信号であると判別される。
【００１９】
次に、信号変換部１０４で同期信号を付加し、信号を変換する処理について、図２と図３を用い詳述する。ＨＤＭＩ１．４規格に準拠した３Ｄ映像の映像信号は、図２（ａ）に示すように一定周波数（Ｘ［Ｈｚ］）ごとに同期信号２１１で区切られており、１つの同期信号間に、１フレーム分の右映像の信号と１フレーム分の左映像の信号を含んでいる。信号変換部では、図２（ｂ）に示すように、この同期信号２１１間に含まれる信号を２等分するように新たに付加同期信号２１２を付加し、信号を変換する。変換後は、周波数が２倍の信号となり、映像信号１と映像信号２に分けられる。なお変換前の同期信号２１１間に含まれていた、１フレーム分の右映像の信号と１フレーム分の左映像の信号は、２つに分割され、映像信号１または映像信号２に含まれている。
【００２０】
図３は、このように変換された後の信号について、具体例を示したものである。図３（ａ）は、左映像と右映像を区切る形で付加同期信号３１２が付加された、４８Ｈｚの信号である。変換前は２４Ｈｚの映像信号で、１つの同期信号３１１間に、縦方向の大きさＶが１０８０ラインの１フレーム分の左映像、同じく１フレーム分の右映像という順に信号が含まれている映像信号であった。
【００２１】
一方、図３（ｂ）は、左映像と右映像を区切る形で付加同期信号３１２が付加された６０Ｈｚの信号である。変換前は３０Ｈｚの映像信号で、一つの同期信号３１１間に、縦方向の大きさＶが７２０ラインの１フレーム分の左映像、同じく１フレーム分の右映像という順に信号が含まれている映像信号であった。
【００２２】
図３（ｃ）は、奇数ラインに対応する映像と偶数ラインに対応する映像を区切る形で付加同期信号３１２が付加された、６０Ｈｚの信号である。変換前は３０Ｈｚの映像信号で、一つの同期信号３１１間に、縦方向の大きさＶが１０８０ラインの映像１フレーム分の左映像と１フレーム分の右映像があり、これが奇数ラインに対応する左映像、奇数ラインに対応する右映像、偶数ラインに対応する左映像、偶数ラインに対応する右映像という順に信号が含まれている映像信号であった。
【００２３】
なお、入力された映像信号が図３（ａ）から図３（ｃ）のいずれのフォーマットに対応しているかは、ＨＤＭＩ１．４規格で規定されたＨＤＭＩ  Ｖｅｎｄｏｒ  Ｓｐｅｃｉｆｉｃ  ＩｎｆｏＦｒａｍｅ  Ｐａｃｋｅｔ  Ｃｏｎｔｅｎｔｓ中の３Ｄ＿Ｓｔｒｕｃｔｕｒｅや３Ｄ＿Ｅｘｔ＿Ｄａｔａを参照することでわかる。
【００２４】
そして、表示装置１０６の受信部（図示せず）で、信号変換装置の出力部１０５から出力されてきた映像信号のデータを受信し、表示装置のＣＰＵ（図示せず）は、前記受信部で受信した映像信号が３Ｄ映像かどうかという情報や、１フレームあたりのライン数、変換前の周波数（変換後の周波数は、変換前の周波数の２倍の周波数になる）などの映像情報を取得する。出力部１０５から出力された映像信号が３Ｄ映像の信号である場合、表示装置１０６で３Ｄ映像を表示する方式に応じて、右映像と左映像を夫々分離して表示できるよう、適宜必要な表示処理を行う。例えば、表示装置１０６が時分割方式により右映像と左映像を交互に表示し、液晶シャッター眼鏡を用いて視聴する方式の場合、液晶シャッター眼鏡と赤外線通信を行う通信部をさらに有し、該通信部で液晶シャッターと同期をとる処理を行う。また、表示装置１０６が偏光の性質を利用して右映像と左映像を分離して表示する手法の場合、偏光フィルターが備えられている。
【００２５】
一方、出力部１０５から出力された映像信号が３Ｄ映像の信号でなかった場合、上述のような３Ｄ映像の表示処理を行う必要はなく、２Ｄ映像が表示される。
【００２６】
〔実施形態２〕
実施形態２では、実施形態１記載のＨＤＭＩ信号入力部に、ＨＤＭＩ１．３規格に準拠した信号と、ＨＤＭＩ１．４規格に準拠した信号の両方が入力される場合の形態について説明する。この実施形態では、ＨＤＭＩ１．４規格に準拠しているかどうかを判断する処理を行い、ＨＤＭＩ１．４規格に準拠していた場合、実施形態１に記載のように、ＨＤＭＩ信号入力部に入力された映像信号が、３Ｄ映像の信号か２Ｄ映像の信号かを判断する処理を行うものである。
【００２７】
この実施形態の信号変換装置４０１は、図４に示すように、少なくともＨＤＭＩ信号入力部４０２と、信号種別判別部４０７と、映像種別判別部４０３と、信号変換部４０４と、出力部４０５を有する。信号種別判別部４０７は、ＨＤＭＩ信号入力部４０２に入力された映像信号がＨＤＭＩ１．４規格に準拠したものかＨＤＭＩ１．３規格に準拠したものかを判断し、ＨＤＭＩ１．４規格に準拠していたときに、映像種別判別部４０３で、該映像信号が３Ｄ映像の信号か２Ｄ映像の信号かを判別する。そしてその判別結果に応じて、実施形態１または実施形態２記載のように、信号変換部４０４や出力部４０５での処理を行う。
【００２８】
一方信号種別判別部４０７において、受信信号がＨＤＭＩ１．３規格に準拠したものと判別された場合、ＨＤＭＩ信号入力部４０２に入力された映像信号を、出力部４０５で表示装置４０６に出力する。なお、実施形態１と同じ部分についての説明は省略した。
【００２９】
〔実施形態３〕
実施形態３では、実施形態１や実施形態２とは別の方法で映像信号が３Ｄ映像の信号かどうかなどの映像情報を取得し、３Ｄ映像の表示処理を行う実施形態について説明する。
【００３０】
本実施形態では、表示装置のＣＰＵが信号変換装置のＨＤＭＩ信号入力部を制御しており、表示装置のＣＰＵは、ＨＤＭＩ信号入力部に入力された映像信号から、その映像信号が３Ｄ映像かどうかという情報や１フレームあたりのライン数、変換前の周波数情報などを、ＨＤＭＩ  Ｖｅｎｄｏｒ  Ｓｐｅｃｉｆｉｃ  ＩｎｆｏＦｒａｍｅ  Ｐａｃｋｅｔ  Ｃｏｎｔｅｎｔｓから取得する。ＣＰＵとＨＤＭＩ信号入力部との間は、有線あるいは無線通信で情報がやり取りされる。なお、実施形態１または実施形態２と同じ部分についての説明は省略した。
【００３１】
〔実施形態４〕
実施形態１から実施形態３では、信号変換部で信号を変換するか否かを判断するための処理を、ＨＤＭＩ  Ｖｅｎｄｏｒ  Ｓｐｅｃｉｆｉｃ  ＩｎｆｏＦｒａｍｅ  Ｐａｃｋｅｔ  Ｃｏｎｔｅｎｔｓ内の情報を用いて行う実施形態について述べたが、実施形態４では、信号変換装置あるいは表示装置の釦や、リモコン装置などを介して入力される、３Ｄでの映像表示処理を行う／行わない旨の命令信号を用いて、信号変換部で信号を変換するか否かを判別する処理を行う形態について説明する。
【００３２】
命令信号は、実施形態１から実施形態３で記載したように入力信号が３Ｄ映像の信号かどうかを自動的に判別する前に、外部より直接その情報（３Ｄ映像の信号かどうか）が入力されるものであってもよいし、その判別の代わりに入力されるものであってもよい。
【００３３】
また上述の説明では、信号変換装置と表示装置とは別装置として説明したが、テレビ装置の中に、表示部の他、信号変換装置と同様の処理を行う信号変換部を有するなど、両方の機能を有した1つの装置でも本発明は実施可能である。また、各実施形態を適宜組み合わせられることは言うまでもない。
【産業上の利用可能性】
【００３４】
本発明の信号変換装置及びその方法は、ＨＤＭＩ１．３規格以前の規格に準拠したＬＳＩを用いて、ＨＤＭＩ１．４規格に準拠した３Ｄ映像を表示することができるものである。
【符号の説明】
【００３５】
１０１、４０１  信号変換装置
１０２、４０２  ＨＤＭＩ信号入力部
１０３、４０３  映像種別判別部
１０４、４０４  信号変換部
１０５、４０５  出力部
１０６、４０６  表示装置 
４０７  信号種別判別部
２１１、３１１  同期信号
２１２、３１２  付加同期信号
【図１】
2011250329.tif 000003
【図２】
2011250329.tif 000004
【図３】
2011250329.tif 000005
【図４】
2011250329.tif 000006